(57)【要約】フレームハウジング（１６）、画像投影機（３０）、鏡（３２）、および商品（１２）を支持しかつ展示する後ディスプレイパネル（４０）を含み、商品と商品の下または背後から発出する画像との組合体である図を提供する、商品ディスプレイケースおよびシステムが提供される。発出画像および発出画像上の商品の選択場所および位置は、独自の視覚体験を創出するために、物理的かつテーマ的に調和させることができる。本システムはデフォルトモードおよびイントラクティブモードの相互操作が可能であり、かつ顧客に応答するために複数のビデオ画像源および他のコンポーネントを制御するマイクロコントローラサブシステムへユーザ入力信号を送信する顧客により選択され得る種々のビデオ画像源を含む。
2005520659.tif 000002
【特許請求の範囲】
【請求項１】
受像面および画像観察面を有する後投影パネル、および
画像を投影する画像投影機を含み、
前記パネルは実質的水平に位置決めされかつ画像観察面上に商品を支持し、
前記画像投影機は、画像が前記パネルの受像面へ投影されかつ画像観察面上で観察できるように前記パネルに対して配向され、
それによりディスプレイケースが商品と、前記パネルの画像観察面上で観察できる画像とを組合せた視界（view)を提供する、商品展示用ディスプレイケース。
【請求項２】
前記パネルの受像面へ前記画像投影機から画像を反射するために配向された鏡を更に含む、請求項１のディスプレイケース。
【請求項３】
前記画像は動的である、請求項１のディスプレイケース。
【請求項４】
前記画像投影機を包囲する内部を形成する構成のフレームを更に含む、請求項１のディスプレイケース。
【請求項５】
前記フレームは引き出しと共に形成され、前記パネルは前記引き出しに設置されている、請求項１のディスプレイケース。
【請求項６】
前記後投影パネルの画像観察面上で観察できる画像は商品を照射する、請求項１のディスプレイケース。
【請求項７】
受像面および画像観察面を有する後投影パネル、
画像を投影する画像投影機、
ユーザ入力装置、
前記画像投影機へ画像を提供する複数の画像源、および
前記画像源に接続された制御ユニットを有するディスプレイケースを含み、
商品が前記画像観察面上で前記パネルにより支持され、
画像は前記パネルの受像面上へ投影されかつ前記画像観察面上で観察でき、
前記画像投影機および前記ユーザ入力装置は、画像源の少なくとも一つを制御して画像のそれぞれの信号を前記画像投影機に送信するためにユーザ入力信号を受信する構成であり、
それにより前記ディスプレイケースは商品と、前記パネルの画像観察面上で観察できる画像とを組合せた視界（view)を提供する、商品展示用ディスプレイシステム。
【請求項８】
前記画像源はデジタルビデオディスクプレーヤを含む、請求項７のディスプレイシステム。
【請求項９】
前記画像源はデジタルビデオディスクプレーヤを含む、請求項７のディスプレイシステム。
【請求項１０】
前記画像源はビデオカメラを含む、請求項７のディスプレイシステム。
【請求項１１】
前記制御ユニットはデフォルトモードおよびイントラクティブモードで前記システムを操作する、請求項７のディスプレイシステム。
【請求項１２】
ユーザの存在を検出するためのセンサを更に含む、請求項７のディスプレイシステム。
【請求項１３】
前記ユーザ入力装置はタッチスクリーンを含む、請求項７のディスプレイシステム。
【請求項１４】
前記ユーザ入力装置はキーパッドを含む、請求項７のディスプレイシステム。
【請求項１５】
前記ユーザ入力装置は感熱タッチパッドを含む、請求項７のディスプレイシステム。
【請求項１６】
引き出しを有するフレーム、
前記引き出し内で水平に位置決めされた後投影パネル、
前記パネルの画像観察面上で観察できる投影画像を有する画像投影機、および
前記画像投影機から投影された画像を前記パネルの受像面上へ反射するために配向された鏡を有するディスプレイケース含み、
前記パネルは受像面および画像観察面を有し、前記パネルの画像観察面上に商品が表示され、
それによりディスプレイケースが商品を支持するパネルの画像観察面上に観察できる画像上に商品を重ね合わせた視界（view)を提供する、商品を展示するためのディスプレイケース。
【発明の詳細な説明】
【技術分野】
【０００１】
デパートメントストア等の小売り業は、商品の販売促進のために店舗内に多くの異なる手段を使用する。店内販売促進補助品にはマークおよび垂れ幕が含まれる。高級百貨店は、更に、照明、音楽、および生きたモデル、または勧誘員さえ採用する。この観点からポスタ、絵画または画像がしばしば使用されるが、一定商品には実際の商品のディスプレイが時として好ましい。その目的のために、ディスプレイケースは、高度に個人的嗜好および消費者による選択を条件とする化粧品、香水、および宝石等の商品に特に効果的に作用する。従って、ディスプレイケースに邪魔されることなくまたは見えにくくすることなく商品を魅力的かつ目に映るように表示することが重要である。ディスプレイ上の商品は、気を散らす音楽または照明でなく、究極的に消費者を惹起しかつ注目を集めるものであるべきである。そこで、あまりにも圧倒的かつ普通であるディスプレイとあまりにも忙しくかつ過度なディスプレイとの間に微妙な線があってよい。更に、理想的宣伝広告手段はディスプレイケースおよび表示もしくは陳列される商品を補完しかつ協働するものである。ディスプレイケースおよび他の同等の宣伝広告手段は、消費者の注意を引くが、実際の陳列品として商品を載せるステージまたはプラットホームとしてのみ注意を引く物であるべきである。
【０００２】
上記条件に合致する理想的ディスプレイケースは、更に、最小限の努力と労働で変化しかつアップデートにできるものであるべきである。販売促進キャンペーンは、流行トレンドと共に頻繁に変化するので、ディスプレイケースは異なる商品および異なる促進テーマに使用するために容易に適応できるものであるべきである。かかる理想的ディスプレイケースは、例えば、休日週末時に化粧品を、続く週間に男性用コロンを、そして続く週末にイブニングシューズおよびパースを販売促進するためにそれ自体貸与できるものである。
【０００３】
店内でのディスプレイケースの使用に付随して床スペースおよび／または壁スペースの効率的使用がしばしば制約される。多くの小売り業者は店舗を清潔かつ整頓に維持する厳しいガイドラインに従う。散らかったカウンタ面および床空間は、買い物客および従業員全般にとって安全な障害物でない場合には、買い物客に目障りである。従って、ディスプレイケースが使用される場合に、それらは相対的に最小限の空間を占有するものであるべきである。更に、宣伝広告物がディスプレイケースと共に使用される場合に、かかる広告物は相対的に最小限の空間に止めるべきである。可能であれば、広告物は空間効率だけでなくディスプレイケースの全体的美観をもってディスプレイケースに組み合わせるべきである。
【０００４】
更に、イントラクティブ技術が平均化した時代にディスプレイケースは、イントラクティブ能力を発揮しまたは少なくともユーザ選択を可能にする適応性をもつべきである。従って、消費者に応答するディスプレイケースシステムは究極的により一層近代的であり、より一層現在の関心および技術のトレンドを反映し、かつ従って終局的に商品を展示するためのより良い乗り物である。
【発明の開示】
【０００５】
［発明の概要］
本発明は、受像面、および商品を支持する画像観察面を有する後投影パネル、ならびに前記パネルの画像観察面上で観察できる画像を投影することのできる投影機を含む商品ディスプレイケースに関する。本発明によれば、前記ディスプレイケースは、商品を支持する前記パネルから発射する画像に商品を重ね合わせたもしくは一体化した視界もしくは投影図（view)により提供されるユニークかつ興味をそそる視覚体験を提供する。前記ディスプレイケースは、前記パネルの受像面へ前記投影機から画像を反射するために配向された鏡を含んでよく、かつ前記画像は好適には動的かつ展示商品にテーマが関連するものである。前記ディスプレイケースの構成要素は前記後投影パネルを入れる引き出しと共に構成されるフレーム内に収容されてよい。更に、画像は前記後投影パネル上に設置された商品を照明する強度を有するものであってよい。
【０００６】
本発明によるディスプレイシステムは、前記ディスプレイケース、少なくとも一つのユーザ入力装置、前記画像投影機へ画像を提供できる複数の画像源、ならびに前記画像源、前記画像投影機、および前記ユーザ入力装置に接続される制御ユニットを含み、前記制御ユニットは、画像を表す信号を前記画像投影機へ送信するために前記画像源の少なくとも一つを制御するためにユーザ入力信号を受信する構成である。本発明によれば、商品と、ユーザに応答しかつイントラクティブに前記システムにより制御される前記パネル上で観察できる画像とを組合せた視界もしくは投影図（view)を提供する。前記システムの画像源は、ビデオ画像信号を前記ディスプレイケースの画像投影機へ伝送するように構成されたＶＣＲ、ＤＶＤプレーヤ、および/またはビデオカメラを含んでよい。前記制御ユニットは、顧客の存在がセンサにより検出されるか否かに依存してデフォルトモードとイントラクティブモード間で前記システムを操作できる。顧客と前記システム間の通信を可能にするユーザ入力装置はタッチスクリーン、キーパッド、および/または感熱タッチパッドを含む。前記制御ユニット内に格納されかつ/または前記後投影パネル上に表示される情報の顧客による印刷を可能にするためにプリンタが更に含まれる。
【０００７】
本発明の上述および他の特徴は添付図面を参照する次の詳細な説明から理解されるであろう。
【発明を実施するための最良の形態】
【０００８】
明細書の一部を構成する図面において、本発明の種々の特徴を実施する例示形態が次の通り説明されている。
【０００９】
図１および２を参照すると、本発明は、例えば、香水（図示されたような）、化粧品、宝石、または靴等の広範囲の商品１２を展示もしくは陳列するために使用するディスプレイケース１０に関する。ディスプレイケース１０は、商品それ自体、および商品１２を支持する面１４から発出する画像とを組合せた視界もしくは投影図（view)Ｖ内に実際の商品を提示するように商品を支持する構成である。そのように、投影図Ｖは三次元対象と二次元画像の組合せであり、これは静的であるが好ましくは可動もくしは動的であってよい。ディスプレイケース１０は垂直脚１８および水平支持棒２０を有するフレーム１６を含み、その全てがブラシ（放電）ステンレススチール管で構成されてよい。フレームは略３．５フィート（1.067m）高、２９．インチ（73.7cm）長、および１９．５インチ(49.5cm)幅であってよい。側パネル２６はディスプレイケース１０の内部を保護しかつ美的外観のためにその内部に種々の構成要素を隠すために設けられてよい。かかるパネルは、ガラス、プラスチックまたはウッド等の種々の材料から形成されてよい。
【００１０】
本発明によれば、投影図Ｖの画像を発射する後投影パネル４０は、商品１２を支持する重要な面である。当業者に理解されるように、後投影パネルまたは半透明スクリーンは種々の技術および構造を採用してよい。後投影パネルは、代表的には受像面および画像観察面を有し、これらは典型的には相互に反対面または同一面である。時には、画像照明が画像投影機から発射される場合に、その光線は、パネルの受像面上に衝突して分岐する。そして、光線はパネルにより屈折または焦点を結び画像観察面上に認識できる画像を形成する。かかるパネルは、アクリル樹脂、ポリカーボネート樹脂等により形成されてよく、高透光性および適宜剛性を有する。
【００１１】
Ｅｃｏｎｏｃｏ社（Hicksvill, New York)によりＶｉｓｉｏｎＳｃｒｅｅｎ名で市販されている後投影パネルは、ディスプレイケース１０の使用に特に好適である。このタイプのパネルは優れた輝度と透明性を有するが、他の後投影パネルが使用できる。他のパネルは上述の条件、形態、寸法、および構造的強度等の条件を満たすのが好ましい。
【００１２】
ディスプレイケース１０の後投影パネル４０は、フレームの上部に位置しかつそこへ固定され、商品１２の支持面１４を提供すると共に観察者に観察できる画像観察面を有するものである。フレーム１６は、引き出し２２を含み、引き出し内にはパネル４０が収納できる。引き出し２２は、投影図Ｖ（図２に最良に示されている）を「枠取り」するためにパネル４０の上方および周囲に境界２４を提供するように構成され、かつ錠によりフレームへ解除自在に固定されてよい。
【００１３】
パネル４０は、画像観察面４２がフレーム１６から外方かつ上方に対面し、かつ受像面４４がフレーム１６の内部へ内方かつ下方へ対面するように、引き出し２２内に位置決めされる。図示形態において、パネル４０は、実質的角度傾斜を伴うことなく実質的水平位置でフレーム１６内に均等に支持される。パネル４０は、相対的に安定状態で商品１２を支持するように相対的に水平かつフラットである。更に、パネル４０は商品１２および商品に使用される他のディスプレイ支柱またはスタンドの重量に耐える厚みおよび／または構造を有する。ディスプレイケースが化粧品、香水、宝石、靴よりも実質的に重い商品に使用される場合には、パネル４０は、当業者に理解されるように、その付加的重量に耐える厚みおよび／または構造を有するものである。図示形態のパネル４０は略２２．５インチｘ１９．５インチ幅および０．２５インチ厚（57.2x49.5x0.64cm)である。
【００１４】
画像投影機３０は、投影される画像がパネル４０の受像面４４により受信されるようにフレームの内部に位置決めかつ配置される。画像投影機３０は画像を提供するように構成され、かつ特に、画像投影機３０は静止画像を提供するスライドを投影するか、またはビデオカセットプレーヤまたはデジタルビデオディスクプレーヤにより供給されるようなビデオ画像信号を処理するように構成され、オーデオ能力を有していてよい。ここで、「画像」の用語は適宜単複両方に使用される。
【００１５】
画像投影機３０はフレーム１６の枠内に収容され、かつディスプレイケース１０は、所望または適宜、画像投影機３０とパネル４０間の投影距離を拡大するために鏡３２を含んでよい。従って、鏡３２が使用される場合に、鏡３２はパネル４０から受像される画像投影機３０からの投影画像の仮想画像である。
【００１６】
画像投影機３０および鏡３２は各々、フレーム１６に取付けた複数のプレート２８により支持される。図１に示されたように、プレート２８は、画像投影機３０からの画像が鏡３２からパネル４０の受像面４２へ反射させる角度で設置される。フレーム１６は、画像投影機３０の寸法および投影距離特性に依存して、画像投影機３０および鏡３２を相互に対して適切に位置決めし、かつパネル４０を適切に位置決めできる高さ、長さかつ／または幅で構成されてよい。画像投影機３０および／または鏡３２をプレート２８上でそのような角度で維持するために、フランジ３３がプレート２８上に形成されてよい。更に、プレート２８は画像投影機３０の投影角度および／または鏡３２の反射角度の調整を可能にする手段によって取付けられてよい。例えば、調整自在ピボット３４がプレート２８をフランジ１６に固定するために使用できる。
【００１７】
図２に最良に示されたように、ディスプレイケース１０の図示形態のフレーム１６の長さは、人によるアクセスが可能な開口部４８がパネル４０に沿って並設されるような次元ｘに沿ってパネル４０の長さを超える。開口部４８は、鎧を付けた換気部材５０により被覆されることにより、画像投影機３０のメンテナンス、調整または交換を可能にするものであってよい。
【００１８】
本発明によれば、ディスプレイケース１０は、画像投影機３０からの画像上に重なって見えるように商品１２を表示し、画像は静止または動画であってよい。ディスプレイケース１０により提供される投影図Ｖは、従って、商品１２の実像、即ち商品それ自体と、投影（または伝送）画像の組合せである。換言すれば、商品１２は画像を伝送するパネル４０上に設置されるかまたはパネル４０に支持されるので、結果として画像または投影図Ｖは実際の三次元物体と投影された二次元イメージを組合せたものである。
【００１９】
最も卑近な例として、パネル４０上に観察される画像は陳列商品１２を補完することが望ましい。その画像は、商品またはその性質に、そしてその反対の場合にも、テーマに関係する。画像および商品は画像に対する商品１２の選択場所によって相互に向上する。即ち、視覚画像は、商品１２と「相互作用（interacting)」または「調和(blending)」して感知されことが理想的である。例えば、商品１２が香水またはコロンである場合に、画像は共通中心から外方に放射する波紋の動画または移動画像であってよい。パネル４０上の商品１２の選択場所が移動画像の共通中心に合致することによって、結果として組合さった投影図Ｖは、香水瓶「から」離れる水（または親密であれば香水）の波紋を伴う、好奇心をそそらないとしても、特異な視覚体験となる。移動画像または動画（静止画の反対）は、消費者の注意を最高に喚起する。移動画像、代表的には、かかる目的に適した予め記録したセグメントはサンドブロー、ファイヤバーニング、オーシャンウエイブ、または溶岩流等のイメージであってよい。強度もしくは鮮明度に依存する、かかる画像は商品１２を照明する照明源として役立つ。
【００２０】
図１の図示形態において、ディスプレイケース１０は、また、フレーム１６に着脱自在に取付けてよいガラス包囲体５２を含む。ガラス包囲体５２は四つのパネル５２ａ−５２ｄを含み、それらの縁は相対的剛性構造を有するように接着剤により結合される。包囲体５２はパネル４０および商品１２上方に適合する構成である。第五パネル５２ｅは、引き出し２２を開放するときにガラス包囲体５２から移動するように引き出し２２に固着される。
【００２１】
作用として、図１および２のディスプレイケース１０は、例えば波打つ水の移動画像を伝送するパネル４０上に香水瓶を表示する。この形態例における画像投影機３０は予め記憶されたビデオ画像を送りかつかつ予め記憶された水が落ちる音響効果を送る。ディスプレイケースの視覚および音響効果はもっと近くで観察しようとしてディスプレイケースへ接近する消費者の注意を惹起する。そして、消費者は、実際の香水瓶と二次元画像を組合せた投影図Ｖから生じる「水の波紋円上に乗った」幾つかの香水瓶のコレクションについて審美的快感と好奇心をそそる視覚による（オーデオでなければ）認識結果を楽しむ。瓶それ自体は消費者に視認可能であるが、瓶上の消費者の関心は、単に瓶に対する一瞥ではなく投影図Ｖに止められ停まる。
【００２２】
図３を参照すると、イントラクティブ能力を有するディスプレイシステム６０が、上述のディスプレイケース１０を使用して示されている。オーデオスピーカ５８がフレーム１６に取付けられ、かつオーデオ効果またはアナウンスを送るためにシステム内に電気的に接続されかつ構成される。システム６０をイントラクティブにするために、キーパッド６２および／またはタッチスクリーン６４（分解図パネル４０と共に示されている）等のユーザ入力装置はユーザとシステム６０の制御ユニット２０間で通信するために設けられてよい。キーパッド６２はフレーム１６上に取付けられるが、タッチスクリーン６４はパネル４０（またはその一部）の送信面４４上に位置決めされてよい。この目的のために、タッチスクリーンへのアクセスを可能にしパネル４０上で観察できる画像に合わせて使用できるようにするために、ガラス包囲体５２は一部または全体が除去されてよい。
【００２３】
タッチスクリーン６４は、パネル４０上の画像がそこから観察できるように透明である。当業者に理解されるように、タッチスクリーンは、例えばパネル４０の形態に対応する構成および形状のガラスパネルであってよい。利用できるタッチスクリーンの一タイプは、タッチスクリーン６４の周辺に沿って延在する、相対的に短い間隔を置いた複数の線状電極に取付けられる。この観点で、フレーム１６はタッチスクリーン６４の電気接続がフレーム１６の内部へ通じるように構成されてよい。
【００２４】
キーパッド６２、かつ／または所望数のタッチ領域（またはソフトスイッチ）を具備したタッチスクリーン６４を使用して、顧客は、システム６０によりパネル４０上に示される画像を選択する上で画像投影機３０の制御を含む種々の機能を実行するために制御ユニット２０と「通信」できる。
【００２５】
選択的、またはキーパッド６２もしくはタッチスクリーン６４に加えて、制御ユニット２０と通信するために他のユーザ入力装置として、感圧タッチパッド６６がガラス包囲体５２、特にパネル５２ｅへ取付けるまたは固定できる。
【００２６】
システム６０は複数の画像源７０、例えばビデオカセットプレーヤ(VCP)７４、デジタルビデオディスクプレーヤ(DVDプレーヤ)７６、またはビデオカメラ７２を含み、そのいずれか一つがパネル４０上で観察できる画像源として顧客により選択されてよい。ユーザ入力装置による選択に応じて、システム６０はイントラクティブまたは選択的にパネル４０上に表示される画像を変更できる。この観点で、ユーザ入力信号に応答する制御ユニット２０は画像投影機３０へ画像信号を送信するために適宜画像源を作動させるように構成される。一般的に、制御ユニット２０により制御されるように、パネル４０上で観察できる適当なテキスト、グラフおよび／または画像の誘導により顧客は、領域６５、キーパッド６４上のキー、および／または感熱タッチパッド６６を選択か接触することによってシステム６０に応答もしくはシステムと通信する。
【００２７】
静止画像または移動画像を提供することに加えて、システム６０の画像源７０は予め記録された画像（スライドプロジエクタVCP74またはDVDプレーヤ76)、またはライブ画像（ビデオカメラ７２により伝送される）を提供できる。かかる予備記録画像は上述の「風景」移動画像、または展示される商品に関する予備記録した情報片を含む。ライブ画像はディスプレイシステムから遠隔の地で開催されかつビデオカメラ７２により撮影されたデモンストレーションまたはファッションショーの画像を含む。
【００２８】
本発明によれば、少なくとも一定のユーザ入力装置は、画像投影機３０に提供される画像信号源をユーザが選択できるように構成される。予備記録ビデオ画像およびライブビデオ画像の提供はそのシステムによる顧客の希望およびニーズに対する対応を柔軟にする。更に、ユーザはユーザ入力装置を使用してシステム６０のプリンタ９２等の他の電気コンポーネントを作動かつ制御できる。プリンタ９２は展示商品に関するパンフレットまたは他の販売促進物を印刷するように電気的に構成されていよい。
【００２９】
作用として、ディスプレイシステム６０は、デフォルトモードとイントラクティブモード間で作動する。デフォルトモードは、制御ユニット２０がディスプレイケース１０を制御して上述のように作動することを含む。例えば、制御ユニット２０はディスプレイケース１０を制御して、上述のごとく水が波打つ画像等の単に予備記録した風景画像をＤＶＤプレーヤから連続的または反復的に見せる。しかし、デフォルトモード操作は、動作検出器または赤外線センサであってよいセンサ１０５により検出されたならば、顧客の存在によりイントラクティブモード操作に切り換えることができる。
【００３０】
センサ１０５から信号を受信した上で、制御ユニット２０は、イントラクティブモード操作に切り換わり、かつパネル４０上で視覚的にかつ／またはスピーカ５８を介して音声により顧客に伝達されるような、一組の指示または選択によって顧客を促進もしくは誘導することから開始する。この誘導は、「歓迎」の挨拶、および続く一連の質問、即ち、予備記録された一連の音声放送と共にパネル４０上の適宜指示テキストおよび／またはグラフの一連の表示によりユーザに伝達する質問を含む。システム６０により応答が受信されず、かつセンサ１０５が顧客の存在を検出しない場合には、システム６０はイントラクティブモードの操作からデフォルトモードの操作に切り換えて、顧客の存在を示すセンサ１０５からの他の信号の受信を待つ。この観点で、センサ１０５は上述のディスプレイケース１０と共に使用でき、センサ１０５が顧客の存在を感知して信号を送信するときにのみ作動することにより効率的に作動させることができる。
【００３１】
図４を参照すると、システム６０の電気回路ブロック図が示されている。制御ユニット２０は、コネクタ１１４を介してＤＶＤプレーヤ７６、コネクタ１１６を介してＶＣＰ７４、コネクタ１１８を介してビデオカメラ７２等の複数の画像源７０と通信するマイクロコントローラサブシステム（以下MCSSと呼ぶ)１０８と呼ばれる。ＭＣＳＳ１０８は、操作により選択されたいずれかの画像源７０を制御しかつそこから出力ビデオ画像信号を受信する。この目的のために、システム６０はコネクタ１２２を介してＤＶＤプレーヤ７６から、コネクタ１２４を介してＶＣＰから、そしてコネクタ１２６を介してビデオカメラ７２から出力ビデオカメラ画像信号を受信するためのスイッチ１２０を装備する。スイッチ１２０はこれらの出力画像信号をＭＣＳＳ１０８へコネクタ１２８を介してリレイする。これらの出力画像信号を受信して、ＭＣＳＳ１０８はその信号をコネクタ１３２を介して画像投影機３０へ送信する。
【００３２】
ＤＶＤ７６、ＶＣＰ７４またはビデオカメラ７２からの音声信号は、更に、コネクタ１２２、１２４、１２６および１２８に沿って送信される。ＤＶＤ７６、ＶＣＰ７４またはビデオカメラ７２からの音声信号は、更にＭＣＳＳ１０８により処理されかつコネクタ１４４に沿ってスピーカ５８へ送信される。
【００３３】
デフォルトモードまたはイントラクティブモードで作動するＭＣＳＳ１０８は、例えばＶＣＰ７４を制御して、水の波紋円の画像の予備記録されたビデオ信号を連続的に画像投影機３０へ送信し、画像投影機３０でかる画像を商品１２と組合せて表示し、二次元画像上に実物を重ねた特異的かつ興味をそそる視界もしくは投影図Ｖを提供する。システム１０は、センサ１０５が顧客の存在を検出するまでこのモードで作動する。
【００３４】
コネクタ１０３を介して顧客の存在を表示する信号をセンサ１０５から受信した上で、ＭＣＳＳ１０８はコンピュータグラフック信号を含む信号を画像投影機３０へ送信して、ユーザ入力装置を介して顧客からの応答を要求するテキストまたはグラフであってよい指示情報を表示する。その観点で、上述のように、顧客はキーパッド６２、タッチスクリーン６４、および／または感熱タッチパッド６６を介してシステム６０と通信できる。
【００３５】
キーパッド６２はコネクタ１３４を介してＭＣＳＳ１０８と通信し、かつ感熱タッチパッド６６はコネクタ１３５を介してＭＣＳＳと通信する。タッチスクリーン６４およびパネル４０はタッチスクリーンパネル１００として組合せで示されており、応答および選択のために顧客と通信しかつ顧客を誘導する目的のテキスト、イメージまたはグラフはＭＣＳＳ１０８により制御される。タッチスクリーンパネル１００はタッチスクリーンインターフェース１０２を介してＭＣＳＳ１０８に接続され、タッチスクリーンインターフェース１０２はコネクタ１０４を介してユーザ入力信号を受信しかつユーザ入力信号をコネクタ１０６を介して制御ユニット２０へリレイする。
【００３６】
当業者に理解されるように、ＭＣＳＳ１０８は、少なくともタッチスクリーン６４、さもなければ他のユーザ入力装置によりパネル４０上に観察できるイメージまたはグラフを制御できるように構成される。特にタッチスクリーン６４に関し、ＭＣＳＳ１０８は、ユーザがタッチスクリーン６４の所定領域６５に接触するときにシステム６０がそれに従って応答するように、プログラムされる。このシステムを使用するために、顧客は、選択したいと思う画像源に対応する領域６５にタッチする。タッチスクリーンは各タッチを感知し、かつその領域を識別するための対応するユーザ入力信号を保証する。
【００３７】
ＭＣＳＳ１０８は、更に、コネクタ１４０を介してプリンタ９２の作動を含む顧客の応答および選択を表示するためにキーパッド６２および／または６６に応答するように構成される。この観点で、ＭＣＳＳ１０８は、販売促進または販売情報または材料等に関するいずれかのビデオ画像源７０からの画像信号、またはＭＣＳＳ１０８内に格納されたいずれかの画像信号をプリンタ９２へ出力するように構成される。
【００３８】
図５は、本発明の一形態においてシステム６０および／またはＭＣＳＳ１０８により実行されるステップを示すフロー図である。ブロック３００において、ディスプレイシステム６０が作動し、それによりディスプレイケース１０、ＭＣＳＳ１０８、画像源７０およびプリンタ９２等の他の電気コンポーネントが作動する。ブロック３０２において、ＭＣＳＳ１０８は上述のごとくデフォルトモードの操作を可能にし、この操作は、例えばＶＣＰ７２の作動および制御を含み、ディスプレイケース１０における画像投影機３０へ水波紋の画像を連続的または反復的に伝送する。
【００３９】
ブロック３０４において、顧客が存在するか否かを決定するためにセンサ１０５が読み取られる。ブロック３０６で顧客が居ないことが検出されると、ＭＣＳＳ１０８はブロック３０４へ戻って再度顧客の存在を検出する。このループはブロック３０６がイエスを表示するまで続けられ、イエスが発生するとＭＣＳＳ１０８は続いてブロック３０８でイントラクティブモードの操作を許可する。上述のように、イントラクティブモードはＭＣＳＳ１０８が「歓迎」の挨拶を画像投影機３０上に視覚的に提示かつ表示すること（ディスプレイケース１０のパネル４０上に示されたように）および／またはスピーカ５８による音声放送を含む。歓迎挨拶を受けた後に、顧客は性別、年齢等の個人データを表示するように誘導されてよい。
【００４０】
ブロック３１０において、ＭＣＳＳ１０８は、キーパッド６２、タッチスクリーンパネル１００および／または感熱タッチパッド６６を含むユーザ入力装置を介して顧客入力があるか否かを決定する。入力を受信しない場合には、ブロック３１２において、ＭＣＳＳ１０８は再度センサ１０５を読み取り、かつブロック３１４において顧客が未だ存在するかを決定する。ノーの場合には、ＭＣＳＳ１０８はブロック３１０に戻って再び顧客の入力があるか否かを決定する。かかる顧客の性別および年齢の表示等の顧客入力がある場合には、ＭＣＳＳ１０８はブロック３１６へ進んでその入力に関して実行する。次に、ＭＣＳＳ１０８はブロック３０８へ戻り、その上で顧客に、例えば、パネル４０上でライブデモンストレーションのビデオ伝送（ビデオカメラ７２から供給される信号を介して）を見たいか、またはパネル３０上に予備記録された情報の伝送（ＤＶＤプレーヤ７６から供給される信号を介して）を望むかを表示するように指示する。
【００４１】
再度、ブロック３１０において、ＭＣＳＳ１０８は、顧客がプリンタ９２を作動して販売パンフレットまたは他の販売促進物を印刷することを望むように顧客を促してよい。顧客とシステム６０間のイントラクティブレベルまたは回数を所望量達成するために、ＭＣＳＳ１０８が顧客の連続的存在を決定した後にブロック３０８への復帰は適宜に連続されてよい。
【００４２】
当業者に理解されるように、上述の種々の構成要素は同様の所望結果を達成するものであれば異なる形態または構成であってよい。当業者に理解されるように、種々の構成要素の形態および寸法は所望により変更および改変されてよい。その観点で、他の種々の方法および構成がここに開示しかつ示唆した範囲から出発して使用できる。
【００４３】
結果として、本発明の範囲は特許請求の範囲に基づいて決定されるべきである。
【図面の簡単な説明】
【００４４】
【図１】本発明のディスプレイケースの一形態の斜視図である。
【図２】図１のディスプレイケースの他の斜視図である。
【図３】本発明のディスプレイケースシステムの一形態の斜視平面図である。
【図４】図３のディスプレイケースシステムに使用する電気回路を示す電気回路ブロック図図である。
【図５】図４のディスプレイケースシステムにより実行されるステップを示すフロー図である。
【図１】
2005520659.tif 000003
【図２】
2005520659.tif 000004
【図３】
2005520659.tif 000005
【図４】
2005520659.tif 000006
【図５】
2005520659.tif 000007
【手続補正書】
【提出日】平成15年10月20日(2003.10.20)
【手続補正１】
【補正対象書類名】特許請求の範囲
【補正対象項目名】全文
【補正方法】変更
【補正の内容】
【特許請求の範囲】
【請求項１】
受像面および画像観察面を有する後投影パネル、および
画像を投影する画像投影機を含み、
前記パネルは実質的水平に位置決めされかつ画像観察面上に商品を支持し、
前記画像投影機は、画像が前記パネルの受像面へ投影されかつ画像観察面上で観察できるように前記パネルに対して配向され、
それによりディスプレイケースが商品と、前記パネルの画像観察面上で観察できる画像とを組合せた視界（view)を提供する、商品展示用ディスプレイケース。
【請求項２】
前記パネルの受像面へ前記画像投影機から画像を反射するために配向された鏡を更に含む、請求項１のディスプレイケース。
【請求項３】
前記画像は動的である、請求項１のディスプレイケース。
【請求項４】
前記画像投影機を包囲する内部を形成する構成のフレームを更に含む、請求項１のディスプレイケース。
【請求項５】
前記フレームは引き出しと共に形成され、前記パネルは前記引き出しに設置されている、請求項１のディスプレイケース。
【請求項６】
前記後投影パネルの画像観察面上で観察できる画像は商品を照射する、請求項１のディスプレイケース。
【請求項７】
受像面および画像観察面を有する後投影パネル、
画像を投影する画像投影機、
ユーザ入力装置、
前記画像投影機へ画像を提供する複数の画像源、および
前記画像源に接続された制御ユニットを有するディスプレイケースを含み、
商品が前記画像観察面上で前記パネルにより支持され、
画像は前記パネルの受像面上へ投影されかつ前記画像観察面上で観察でき、
前記画像投影機および前記ユーザ入力装置は、画像源の少なくとも一つを制御して画像のそれぞれの信号を前記画像投影機に送信するためにユーザ入力信号を受信する構成であり、
それにより前記ディスプレイケースは商品と、前記パネルの画像観察面上で観察できる画像とを組合せた視界（view)を提供する、商品展示用ディスプレイシステム。
【請求項８】
前記画像源はデジタルビデオディスクプレーヤを含む、請求項７のディスプレイシステム。
【請求項９】
前記画像源はデジタルビデオディスクプレーヤを含む、請求項７のディスプレイシステム。
【請求項１０】
前記画像源はビデオカメラを含む、請求項７のディスプレイシステム。
【請求項１１】
前記制御ユニットはデフォルトモードおよびイントラクティブモードで前記システムを操作する、請求項７のディスプレイシステム。
【請求項１２】
ユーザの存在を検出するためのセンサを更に含む、請求項７のディスプレイシステム。
【請求項１３】
前記ユーザ入力装置はタッチスクリーンを含む、請求項７のディスプレイシステム。
【請求項１４】
前記ユーザ入力装置はキーパッドを含む、請求項７のディスプレイシステム。
【請求項１５】
前記ユーザ入力装置は感熱タッチパッドを含む、請求項７のディスプレイシステム。
【請求項１６】
引き出しを有するフレーム、
前記引き出し内で水平に位置決めされた後投影パネル、
前記パネルの画像観察面上で観察できる投影画像を有する画像投影機、および
前記画像投影機から投影された画像を前記パネルの受像面上へ反射するために配向された鏡を有するディスプレイケース含み、
前記パネルは受像面および画像観察面を有し、前記パネルの画像観察面上に商品が表示され、
それによりディスプレイケースが商品を支持するパネルの画像観察面上に観察できる画像上に商品を重ね合わせた視界（view)を提供する、商品を展示するためのディスプレイケース。
【請求項１７】
受像面および画像観察面を有する後投影パネル、および
画像を前記パネルの受像面上へ投影する投影機を含み、
前記パネルは前記画像観察面上に商品を支持し、
前記投影機は、画像が前記パネルの受像面へ投影されかつ画像観察面上で観察できるように前記パネルに対して配向され、
それによりディスプレイケースが商品と前記パネルの画像観察面上で観察できる画像を組合せた視界（view)を提供する、商品展示用ディスプレイケース。
【請求項１８】
前記パネルの受像面へ前記画像投影機から画像を反射するために配向された鏡を更に含む、請求項１７のディスプレイケース。
【請求項１９】
前記画像は動的である、請求項１７のディスプレイケース。
【請求項２０】
前記画像投影機を包囲する内部を形成する構成のフレームを更に含む、請求項１７のディスプレイケース。
【請求項２１】
前記フレームは引き出しと共に形成され、前記パネルは前記引き出しに設置されている、請求項１７のディスプレイケース。
【請求項２２】
前記後投影パネルの画像観察面上で観察できる画像は商品を照射する、請求項１７のディスプレイケース。
【国際調査報告】
2005520659.tif 000008